(57)【要約】【課題】  電子レンジで暖めたときに、汚れの侵入の虞が無く、電子レンジを汚すことを防止でき、加熱後の取り扱いの容易な電子レンジ加熱用受け皿付き金属製容器を得ること。【解決手段】  金属製容器が、底壁と、該底壁から上方へ立ち上がる側壁と、該側壁の開口端を閉じている蓋体とを備え、受け皿が、中央の端壁と、その端壁の内面側に位置する立ち上がり部と、前記端壁の外周側に延びている平坦部と、その平坦部の外端部から前記蓋体の輪郭より大きい開口形状の筒状をなすように延びている外壁と、該外壁の端部で外方へ広がっている凸壁部とを備え、前記受け皿を金属製容器に被せて蓋体を覆い、受け皿の内部に金属製容器を載せて、電子レンジとの間にスパークを生じさせない間隔を保持でき、かつ内容物の吹きこぼれを受け皿で受けることができる。【選択図】  図１
2005053535.tif 000002
【特許請求の範囲】
【請求項１】
内容物を充填した金属製容器と合成樹脂製の受け皿とから成る電子レンジ加熱用受け皿付き金属製容器において、
金属製容器が、底壁と、該底壁から上方へ立ち上がる側壁と、該側壁の開口端に取り付けられて該開口端を閉じている蓋体とを備え、
受け皿が、中央の端壁と、その端壁の内面側で前記底壁の輪郭で区画される領域の内側に位置する立ち上がり部と、前記端壁の外周側に延びている平坦部と、その平坦部の外端部から前記蓋体の輪郭より大きい開口形状の筒状をなすように延びている外壁と、該外壁の端部で外方へ広がっている凸壁部とを備え、
前記受け皿の外壁の内側に、前記金属製容器の蓋体が取り付けられた前記開口端を嵌合させて前記端壁と平坦部とによって前記蓋体の外側を覆う使用形態と、前記金属製容器の底壁を前記受け皿の立ち上がり部に載せて前記底壁と端壁との間に電子レンジでの加熱時にスパークを生じさせない間隔を設けた状態で前記金属製容器を前記受け皿の内側に収容した、電子レンジでの加熱時の使用形態とが可能な電子レンジ加熱用受け皿付き金属製容器。
【請求項２】
前記立ち上がり部は、前記受け皿の端壁の内側で、内方に向けかつ前記平坦部よりも突出させないで突出させられている突起を含み、また前記金属製容器の底壁を受け皿の前記立ち上がり部に載置させて電子レンジで加熱するときに、金属製容器の蓋体の外周縁に接触するように前記受け皿の凸壁部の内側に内方へ突出して設けられた突片を更に備えていることを特徴とする請求項１に記載の電子レンジ加熱用受け皿付き金属製容器。
【発明の詳細な説明】
【技術分野】
【０００１】
本発明は、流通過程では金属製容器の蓋体を覆い、また電子レンジで金属製容器を加温するときに、金属製容器を載せて金属製容器を電子レンジで加熱可能にした受け皿を備えた電子レンジ加熱用受け皿付き金属製容器に関する。
【背景技術】
【０００２】
金属製容器を電子レンジで加熱する場合、金属製容器をそのまま電子レンジに入れてマイクロ波を照射させると、電子レンジと金属製容器との接触面でスパークが発生し、金属製容器を損傷して孔を開けたり、マイクロ波を発生させるマグネトロンの寿命を短くしたり壊してしまう事態となる。そこで、金属製容器を電子レンジで加熱するために、金属製容器を合成樹脂製又は紙製の箱で覆い、金属製容器を箱で吊り下げることによって、箱と電子レンジとを接触させる一方、箱と金属製容器との間に隙間を設けた電子レンジ用容器が、特許文献１に開示されている。
【０００３】
また、従来、蓋付きの合成樹脂製外装容器に金属製容器を収納し、電子レンジとの間に０．９mm以上の間隔を隔てさせることによって、食品包装金属製容器のマイクロ波加熱の際のスパーク発生を防止した外装容器が、特許文献２に開示されている。さらに、特許文献３には、金属製容器の側壁下端部外周と係合して金属製容器を保持する凸部と、金属製容器と電子レンジとの間隔を３mm以上にする脚部とを備えた容器支持台が開示されている。
【特許文献１】特公平７−８４２２６号公報
【特許文献２】実公平６−１０８８号公報
【特許文献３】実用新案登録第３０８６４５１号公報
【発明の開示】
【発明が解決しようとする課題】
【０００４】
上記の特許文献３に記載されているような容器支持台に載せた金属製容器を電子レンジで暖めた場合、加熱中に吹きこぼれが起きると、電子レンジを汚してしまうおそれがある。また、加熱したことにより熱くなった金属製容器を電子レンジ内から取り出す際に、金属製容器に触れないように取り出すことは難しく、加熱後の取り扱いに難点がある。
【０００５】
一方、特許文献１や特許文献２に開示されているような箱や合成樹脂製外装容器は、蓋が在るために、電子レンジでの加熱中の吹きこぼれを防止できて、電子レンジを汚すことが無く、暖まった金属製容器を箱や合成樹脂製外装容器ごと何とか素手で食卓に運ぶことができる。しかしながら、金属製容器から内容物の食品を食べるときに、蓋が邪魔になるおそれがある。これを避けるために、箱や合成樹脂製外装容器から熱い金属製容器を取り出すとすれば、手袋等の補助道具が必要となり、結局、加熱後の取り扱いに難点がある。また、流通過程で金属容器の蓋体に汚れが付着してしまうと、電子レンジで加熱するときに金属容器内へ汚れが侵入してしまう虞があり、これを防がなくてはならない。
【０００６】
本発明は、金属製容器を電子レンジで暖めたときに、金属製容器内への汚れの侵入の虞が無く、また内容物の吹きこぼれが起きても、電子レンジを汚すことを防止でき、さらには電子レンジで暖めた金属製容器を素手で電子レンジ内から取り出すことができて、食卓でそのまま内容物の食品を食べることができる電子レンジ加熱用受け皿付き金属製容器を得ることを課題としている。
【課題を解決するための手段】
【０００７】
本発明は、上記の課題を解決するためになされたものであり、請求項１の発明は、内容物を充填した金属製容器と合成樹脂製の受け皿とから成る電子レンジ加熱用受け皿付き金属製容器において、金属製容器が、底壁と、該底壁から上方へ立ち上がる側壁と、該側壁の開口端に取り付けられて該開口端を閉じている蓋体とを備え、受け皿が、中央の端壁と、その端壁の内面側で前記底壁の輪郭で区画される領域の内側に位置する立ち上がり部と、前記端壁の外周側に延びている平坦部と、その平坦部の外端部から前記蓋体の輪郭より大きい開口形状の筒状をなすように延びている外壁と、該外壁の端部で外方へ広がっている凸壁部とを備え、前記受け皿の外壁の内側に前記金属製容器の蓋体が取り付けられた前記開口端を嵌合させて前記端壁と平坦部とによって前記蓋体の外側を覆う使用形態と、前記金属製容器の底壁を前記受け皿の立ち上がり部に載せて前記底壁と端壁との間に電子レンジでの加熱時にスパークを生じさせない間隔を設けた状態で前記金属製容器を前記受け皿の内側に収容した、電子レンジでの加熱時の使用形態とが可能な容器である。
【０００８】
また、請求項２の発明は、上記の請求項１の発明における前記立ち上がり部が、前記受け皿の端壁の内側で、内方に向けかつ前記平坦部よりも突出させないで突出させられている突起を含み、また前記金属製容器の底壁を受け皿の前記立ち上がり部に載置させて電子レンジで加熱するときに、金属製容器の蓋体の外周縁に接触するように前記受け皿の凸壁部の内側に内方へ突出して設けられた突片を更に備えていることを特徴とする容器である。
【発明の効果】
【０００９】
請求項１の発明によれば、流通過程で蓋体に汚れが付着する虞が無く、また、受け皿の中央の端壁が電子レンジの底と接触し、受け皿の外壁の端部に設けた外方へ広がる凸壁部が電子レンジの壁と接触し、電子レンジと金属製容器との間に、スパークを発生させない間隔以上の間隔を保持するため、スパークが発生することが無く、たとえ、吹きこぼれが起きたとしても、凸壁部が外方へ広がっているため、吹きこぼれた食品を金属製容器との間の外壁の内側へ導いて電子レンジを汚すことが無く、さらに、受け皿の外壁若しくは凸壁部を持つことができるので、電子レンジ内から熱くなった金属製容器を、補助用具を使用することなく取り出すことができる。
【００１０】
尚、上記のスパークを発生させない間隔とは、スパークを発生させる間隔が金属製容器の形状によって異なるため、金属製容器の仕様によって試験により決められた間隔のことである。
【００１１】
また、請求項２の発明によれば、受け皿の端壁の突起と平坦部で確実に金属製容器を水平な状態で受け皿内へ設置することができ、受け皿の凸壁部の内側に設けた内方へ突出する突片が、金属製容器の蓋体に接触するので、金属製容器を受け皿の中央に位置させることができ、電子レンジで加熱するときに、内容物が吹きこぼれたときに、金属製容器のどこの位置で吹きこぼれたとしても、金属製容器が偏芯して設置されていないため、吹きこぼれた食品を金属製容器との間の外壁の内側へ確実に導いて電子レンジが汚れることを防止できる。
【００１２】
結局、本発明の電子レンジ加熱用受け皿付き金属製容器は、清潔な状態でそのまま電子レンジで加熱することができ、吹きこぼれが起きても、電子レンジ内を汚すことが無く、暖まった容器を、手袋等の補助用具を使用しないで、電子レンジから取り出すことができ、そのまま食卓に運んで、内容物を食べることができる。
【発明を実施するための最良の形態】
【００１３】
本発明の電子レンジ加熱用受け皿付き金属製容器を図１及び図２に従って説明する。本発明の電子レンジ加熱用金属製容器１は、所定の直径（例えば約１０ｃｍ）の円形で扁平な底壁１０と、該底壁１０から上方へ所定寸法（例えば約３ｃｍ）立ち上がる側壁１１と、該側壁１１の開口端の外巻きのカール部１２とを備えていて、電子レンジ内でのスパークの発生を防止するために、開口端が角張らない形状に成っている。さらに、内容物を該金属製容器１内に充填した後に、カール部１２にはアルミ箔製若しくは合成樹脂製のヒートシール蓋１３が接着されている。該ヒートシール蓋１３は、カール部１２から剥がし易くするため、外縁の一部が外方へ突出する指掛け用のタブ部１４を備えている。したがってヒートシール蓋１３が本発明の蓋体に相当している。
【００１４】
電子レンジ加熱用の該金属製容器１は、内容物が電子レンジのマイクロ波をまんべんなく受け易くするために、扁平な形状を備えていることが望ましい。また、該金属製容器１は、薄金属板や薄金属板に合成樹脂製フィルムを積層させた材料に、絞り加工や絞りとしごき加工を施して製作される。
【００１５】
他方、受け皿２は、ポリプロピレン等の耐熱性の合成樹脂製で、射出成形法や圧空成形法で製作され、中央に前記底壁１０より小径の水平な端壁２０を備え、該端壁２０の外縁から斜め外方へ広がる傾斜壁２１に続き、該傾斜壁２１の外縁には、端壁２０と平行に平坦部２２が続いている。この傾斜壁２１から平坦部２２に繋がる部分若しくはこれら傾斜壁２１と平坦部２２との境界部分は、前記底壁１０の直径より小さく、言い換えれば底壁１０の輪郭で区画される領域の内側にあり、したがって傾斜壁２１もしくは傾斜壁２１から平坦部２２に到る部分が、本発明における立ち上がり部に相当している。さらに、該平坦部２２の外縁からは、平坦部２２とほぼ直角に筒状に立ち上がる外壁２３を備えていて、該外壁２３の端部には、外方へ広がる凸壁部２４を備えていて、該凸壁部２４は、外方へ水平距離で、本実施の態様の場合は、３．０mm以上広がっていることが望ましい。
【００１６】
本実施の形態における金属製容器１と受け皿２とは、流通時点での使用形態として、金属製容器１のヒートシール蓋１３を保護し、汚れの付着を防止するために、図１に示したように、受け皿２を金属製容器１のオーバーキャップとして使用できるようになっている。すなわち、平坦部２２と外壁２３とで金属製容器１のカール部１２とヒートシール蓋１３の外縁に係止できる寸法関係を備えている。
【００１７】
さらに、金属製容器１を電子レンジで加熱する際の使用形態として、金属製容器１から受け皿２を外し、図２に示したように、金属製容器１を受け皿２内へ挿入すると、金属製容器１の底壁１０の外縁が受け皿２の平坦部２２の内周側の部分（すなわち本発明の立ち上がり部）に載置され、金属製容器１の底壁１０が、本実施の態様の場合は、電子レンジから３．０mm以上離れる寸法関係を備えている。
【００１８】
本発明の電子レンジ加熱用受け皿２の付いた金属製容器１は上述の構成を備えているため、金属製容器１から受け皿２を外し、ヒートシール蓋１３が合成樹脂製の場合は、図２に示したように、ヒートシール蓋１３のタブ部１４を摘んで部分的に開口させ、ヒートシール蓋１３がアルミ箔製の場合は、ヒートシール蓋１３を取り除いて、該金属製容器１を受け皿２内へ設置して電子レンジ内へ挿入し加熱する。
【００１９】
このとき、電子レンジには、受け皿２の端壁２０と凸壁部２４とだけが接触することとなり、金属製容器１の底壁１０とカール部１２は、電子レンジと３．０mm以上の間隔が開き、スパークの発生が防止される。また、加熱中に吹きこぼれが起きたとしても、凸壁部２４が外方へ広がっているため、吹きこぼれた食品を金属製容器１との間の外壁２３の内側へ導いて電子レンジを汚すことが無い。さらに、加熱が終了すると、受け皿２の外壁２３若しくは凸壁部２４を保持して電子レンジ内から取り出すことができ、加熱後の取り扱いが容易になる。
【００２０】
図３に別異の改良された受け皿２’を示した。該受け皿２’は、上記の受け皿２の端壁２０の内側に、内方へ突出させた突起２５を設けていて、該突起２５の天面の高さは、平坦部２２の内面の高さと一致した高さに成っている。この突起２５が本発明の立ち上がり部に相当している。
【００２１】
さらに、金属製容器１の底壁１０を受け皿２’の平坦部２２に載置させて電子レンジで加熱するときに、受け皿２’の凸壁部２４の内側に内方へ突出する突片２６が、金属製容器１のカール部１２に接触するように、少なくとも３箇所設けられている。
【００２２】
該受け皿２’は、端壁２０の突起２５と平坦部２２とで、多点支持を形成し、金属製容器１を水平な状態で受け皿２’内へ確実に設置することができ、受け皿２’の凸壁部２４の内側に設けた内方へ突出する突片２６が、金属製容器１のカール部１２に接触するので、金属製容器１を受け皿２’の中央に位置させることができる。そのため、電子レンジで加熱する際に、内容物が吹きこぼれたときに、金属製容器１のどこの位置で吹きこぼれたとしても、金属製容器１が偏芯して設置されていることがないため、吹きこぼれた食品を金属製容器１との間の外壁２３の内側へ確実に導いて電子レンジを汚すことが無い。
【００２３】
尚、本発明の実施に好適な金属製容器の水平断面形状は、円形や楕円形や長方形でよい。また、金属製容器のカール部を、半径方向外方へ延びるフランジに変更してもよく、該カール部やフランジに装着される蓋体は、ヒートシール蓋に限定されるものではなく、接着剤による接着蓋であってもよい。さらに、金属製容器の開口端に金属製の全面開口蓋を従来の二重巻締法で装着させたものであってもよい。
【００２４】
また、金属製の全面開口蓋を二重巻締法で装着させた金属製容器は、電子レンジで加熱する場合にスパークし易いため、電子レンジとの間隔を１４．０mm以上にする必要がある場合があり、電子レンジとの間隔は、スパークを発生させる間隔が金属製容器の形状によって異なるため、金属製容器の仕様によって、試験により安全な間隔が決定される。
【図面の簡単な説明】
【００２５】
【図１】本発明の電子レンジ加熱用受け皿付き金属製容器の受け皿をオーバーキャップとして使用した状態を示した断面図。
【図２】図１に示した受け皿付き金属製容器を電子レンジで加熱している状態を示した断面図。
【図３】本発明の電子レンジ加熱用受け皿付き金属製容器の他の実施の態様を示した断面図。
【符号の説明】
【００２６】
１…電子レンジ加熱用金属製容器、  ２…受け皿、  １０…底壁、  １１…側壁、  １２…カール部、  １３…ヒートシール蓋、  １４…タブ、  ２０…端壁、  ２１…傾斜壁、  ２２…平坦部、  ２３…外壁、  ２４…凸壁部、  ２５…突起、  ２６…突片。
【図１】
2005053535.tif 000003
【図２】
2005053535.tif 000004
【図３】
2005053535.tif 000005